(57)【要約】【課題】簡単な構造で且つ安価にロール空間から飼料作物が漏れ出ることを防止する。【解決手段】半割状の固定筐体及び可動筐体と、幅方向視において前後方向一方側に開く半円を形成するように前記固定筐体に支持された複数の固定側回転ローラと、前記可動筐体が閉塞位置に位置された状態の幅方向視において前後方向他方側に開く半円を形成するように前記可動筐体に支持された複数の可動側回転ローラとを有しているロールベーラ装置において、幅方向に延び且つ周方向に隣接する前記回転ローラ間の隙間の径方向外方側に位置する複数の支持バーと、対応する前記回転ローラの径方向外方側を覆うように前記複数の支持バーに支持された可撓性シートとを備える。【選択図】図５
2014124147.tif 000002
【特許請求の範囲】
【請求項１】
供給される飼料作物をロール状の飼料ベールに成形するロールベーラ装置であって、前後方向一方側が開口された半割状の固定筐体と、前記固定筐体との共働下にベーラ室を形成する半割状の可動筐体であって、前記ベーラ室を閉塞する閉塞位置及び開放する開放位置をとり得る可動筐体と、幅方向視において前後方向一方側に開く半円を形成するように前記固定筐体に支持された複数の固定側回転ローラと、前記可動筐体が閉塞位置に位置された状態の幅方向視において前後方向他方側に開く半円を形成するように前記可動筐体に支持された複数の可動側回転ローラとを有しているロールベーラ装置において、
幅方向に延び且つ周方向に隣接する前記回転ローラ間の隙間の径方向外方側に位置する複数の支持バーと、
対応する前記回転ローラの径方向外方側を覆うように前記複数の支持バーに支持された可撓性シートとを備えていることを特徴とするロールベーラ装置。
【請求項２】
前記固定筐体は、前記複数の固定側回転ローラをそれぞれ支持する複数の固定側支持軸の軸線方向一端側部及び他端部が連結される左右一対の固定側側壁と、前後方向一方側の前記開口を形成し且つ前記複数の固定側回転ローラの少なくとも一部の径方向外方を覆うように、前記一対の固定側側壁の間を連結する固定側周壁とを含み、
前記可動筐体は、前記複数の可動側回転ローラをそれぞれ支持する複数の可動側支持軸の軸線方向一端部及び他端部が連結される左右一対の可動側側壁と、閉塞位置に位置された際に前記固定筐体の開口と対向する開口を形成しつつ前記複数の可動側回転ローラの少なくとも一部の径方向外方を覆うように、前記一対の可動側側壁の間を連結する可動側周壁とを含み、
前記可動側周壁は、前記可動筐体の前記開口に臨み且つ前記可動筐体が閉塞位置に位置された際に下方に位置する可動側下部回転ローラと前記可動側下部回転ローラから周方向に順に配置された一又は複数の可動側回転ローラとを外部に露出する下方開口を有し、
前記下方開口を介して露出される前記可動側回転ローラの径方向外方側が前記可撓性シートによって覆われていることを特徴とする請求項１に記載のロールベーラ装置。
【請求項３】
前記可撓性シートは、前記下方開口を介して露出される前記可動側回転ローラと対向するカバー領域と、前記カバー領域から前記固定筐体の側へ延在された延在領域とを有し、
前記可動筐体を閉塞位置に位置させた際に、前記可撓性シートの前記延在領域が前記固定筐体及び前記可動筐体によって挟まれることを特徴とする請求項２に記載のロールベーラ装置。
【請求項４】
前記可動筐体には、周方向に関し前記可動側下部回転ローラよりも前記固定筐体に近接する側で且つ径方向に関し前記可動側下部回転ローラの軸線よりも外方側において、前記一対の可動側周壁を連結する連結バーが設けられ、
前記可撓性カバーは、前記複数の支持バーに加えて前記連結バーにも支持されていることを特徴とする請求項２又は３に記載のロールベーラ装置。
【請求項５】
前記可動筐体に直接又は間接的に支持された状態で前記延在領域を前記固定側周壁のエッジに押し付ける板バネを備えていることを特徴とする請求項２から４の何れかに記載のロールベーラ装置。
【発明の詳細な説明】
【技術分野】
【０００１】
本発明は、飼料作物をロール状の飼料ベールに成形するロールベーラ装置に関する。
【背景技術】
【０００２】
稲等の飼料作物をロール状の飼料ベールに成形するロールベーラ装置は、従来から広く利用されている。
前記ロールベーラ装置は、固定筐体と、可動筐体と、前記固定筐体に半円状に配置された複数の固定側回転ローラと、前記可動筐体に半円状に配置された複数の可動側回転ローラとを含んでいる。
【０００３】
詳しくは、前記可動筐体は、前記固定筐体と共働してベーラ室を形成する閉塞位置と前記ベーラ室を開放する開放位置とをとり得るように構成されている。
前記複数の固定側回転ローラ及び前記複数の可動側回転ローラは、前記可動筐体を閉塞位置に位置させた際に、側面視略円形状のロール空間を形成するように配置されており、前記ロール空間に投入された飼料作物が前記複数の回転ローラによって円筒状の飼料ベールに成形される。
【０００４】
ところで、一の回転ローラとこれに隣接する他の回転ローラとの間には周方向に関し隙間が存在する。
従って、前記ロール空間内の飼料作物の一部が前記隙間を介して外方へこぼれ落ちることになり、飼料作物に無駄が生じるという問題があった。
【０００５】
この点に関し、下記特許文献には、前記回転ローラの径方向外方に側面視半円状のカバーを設けると共に、隣接する前記回転ローラ間の隙間内に突入するように前記カバーに側面視三角形状の凸部を設けたロールベーラ装置が開示されている。
【０００６】
前記特許文献に記載の従来のロールベーラ装置は、前記凸部によって前記隙間を埋めることで前記隙間を介して前記ロール空間から外方へ漏れ出る飼料作物の量を減少させつつ、前記カバーによって飼料作物が機外に放出されることを有効に防止し得る点において有用である。
【０００７】
しかしながら、前記従来のロールベーラ装置においては、前記カバー及び前記凸部が剛性部材で形成されており、従って、前記凸部付きの前記カバーの製造にコストがかかるという問題があった。
【０００８】
又、複数の前記凸部を対応する隙間に位置させつつ、剛性の前記カバーを装着させなければならず、前記カバーの取付作業やメンテナンス時における取り外し作業に手間がかかるという問題もあった。
【先行技術文献】
【特許文献】
【０００９】
【特許文献１】特開２００３−０６１４５３号公報
【発明の概要】
【発明が解決しようとする課題】
【００１０】
本発明は、斯かる従来技術に鑑みなされたものであり、複数の回転ローラによって画されるロール空間からの飼料作物の流出を有効に防止できるロールベーラ装置であって、構造簡略化及びコスト低廉化を図ることができ、且つ、脱着作業性を向上させ得るロールベーラ装置の提供を、目的とする。
【課題を解決するための手段】
【００１１】
本発明は、前記目的を達成するために、供給される飼料作物をロール状の飼料ベールに成形するロールベーラ装置であって、前後方向一方側が開口された半割状の固定筐体と、前記固定筐体との共働下にベーラ室を形成する半割状の可動筐体であって、前記ベーラ室を閉塞する閉塞位置及び開放する開放位置をとり得る可動筐体と、幅方向視において前後方向一方側に開く半円を形成するように前記固定筐体に支持された複数の固定側回転ローラと、前記可動筐体が閉塞位置に位置された状態の幅方向視において前後方向他方側に開く半円を形成するように前記可動筐体に支持された複数の可動側回転ローラとを有しているロールベーラ装置において、幅方向に延び且つ周方向に隣接する前記回転ローラ間の隙間の径方向外方側に位置する複数の支持バーと、対応する前記回転ローラの径方向外方側を覆うように前記複数の支持バーに支持された可撓性シートとを備えたロールベーラ装置を提供する。
【００１２】
前記固定筐体は、前記複数の固定側回転ローラをそれぞれ支持する複数の固定側支持軸の軸線方向一端側部及び他端部が連結される左右一対の固定側側壁と、前後方向一方側の前記開口を形成し且つ前記複数の固定側回転ローラの少なくとも一部の径方向外方を覆うように、前記一対の固定側側壁の間を連結する固定側周壁とを含み、前記可動筐体は、前記複数の可動側回転ローラをそれぞれ支持する複数の可動側支持軸の軸線方向一端部及び他端部が連結される左右一対の可動側側壁と、閉塞位置に位置された際に前記固定筐体の開口と対向する開口を形成しつつ前記複数の可動側回転ローラの少なくとも一部の径方向外方を覆うように、前記一対の可動側側壁の間を連結する可動側周壁とを含み得る。
この場合、前記可動側周壁は、前記可動筐体の前記開口に臨み且つ前記可動筐体が閉塞位置に位置された際に下方に位置する可動側下部回転ローラと前記可動側下部回転ローラから周方向に順に配置された一又は複数の可動側回転ローラとを外部に露出する下方開口を有し得る。
一形態においては、前記下方開口を介して露出される前記可動側回転ローラの径方向外方側が前記可撓性シートによって覆われる。
【００１３】
前記一形態において、好ましくは、前記可撓性シートは、前記下方開口を介して露出される前記可動側回転ローラと対向するカバー領域と、前記カバー領域から前記固定筐体の側へ延在された延在領域とを有し、前記可動筐体を閉塞位置に位置させた際に、前記可撓性シートの前記延在領域が前記固定筐体及び前記可動筐体によって挟まれるように構成され得る。
【００１４】
前記一形態において、前記可動筐体に、周方向に関し前記可動側下部回転ローラよりも前記固定筐体に近接する側で且つ径方向に関し前記可動側下部回転ローラの軸線よりも外方側において、前記一対の可動側周壁を連結する連結バーが設けられる場合には、好ましくは、前記可撓性カバーは、前記複数の支持バーに加えて前記連結バーにも支持される。
【００１５】
前記一形態において、好ましくは、前記可動筐体に直接又は間接的に支持された状態で前記延在領域を前記固定側周壁のエッジに押し付ける板バネが備えられる。
【発明の効果】
【００１６】
本発明に係るロールベーラ装置によれば、幅方向に延び且つ周方向に隣接する回転ローラ間の隙間の径方向外方側に位置するように複数の支持バーが備えられ、対応する前記回転ローラの径方向外方側を覆うように前記複数の支持バーに可撓性シートが支持されているので、複雑な構造を要すること無く且つ安価に、前記隙間を縮小させた状態で対応する前記回転ローラの径方向外方を覆うことができ、これにより、ベーラ室から前記隙間を介して外方へ漏れ出る飼料作物量を有効に減少させることができる。
【００１７】
さらに、前記可撓性カバーの可撓性によって、対応する前記回転ロールの径方向外方を剛性カバーで覆う構成に比して、前記可撓性カバーの取付作業及び取り外し作業を容易に行うことができる。
また、複数の回転ローラによって画されるロール空間に過剰量の飼料作物が供給されたとしても、前記可撓性カバーの可撓性によって前記ロール空間の飼料密度を緩和させることができ、これにより、前記回転ローラに過度な負荷がかかることを有効に防止することができる。
【図面の簡単な説明】
【００１８】
【図１】図１は、本発明の一実施の形態に係るロールベーラ装置が適用されたコンバインベーラの側面図である。
【図２】図２は、図１に示す前記コンバインベーラの背面図である。
【図３】図３は、前記ロールベーラ装置の斜視図である。
【図４】図４は、前記ロールベーラ装置の縦断側面図であり、図２におけるIV-IV線に沿った縦断側面を示している。
【図５】図５は、前記ロールベーラ装置の変形例の縦断側面図である。
【図６】図６は、本発明の他の実施の形態に係るロールベーラ装置の部分縦断側面図である。
【図７】図７は、図６に示す前記ロールベーラ装置の変形例の部分縦断側面図である。
【発明を実施するための形態】
【００１９】
以下、本発明に係るロールベーラ装置の好ましい実施の形態について、添付図面を参照しつつ説明する。
図１及び図２に、それぞれ、本実施の形態に係るロールベーラ装置１００Ａが適用されたコンバインベーラ１の側面図及び背面図を示す。
【００２０】
図１及び図２に示すように、前記コンバインベーラ１は、本機フレーム１０と、前記本機フレーム１０に支持された左右一対の走行装置２０と、前記本機フレーム１０に支持された運転部３０と、前方に位置するように前記本機フレーム１０に支持された刈取部４０と、供給される飼料作物を受け入れてロール状の飼料ベールを形成する前記ロールベーラ装置１００Ａと、前記刈取部４０によって刈り取られた飼料作物を前記ロールベーラ装置１００Ａへ向けて搬送する搬送部５０とを備えている。
【００２１】
図３に、前記ロールベーラ装置１００Ａの斜視図を示す。
又、図４に、図２におけるIV-IV線に沿った前記ロールベーラ装置１００Ａの縦断側面図を示す。
【００２２】
図３及び図４に示すように、前記ロールベーラ装置１００Ａは、固定筐体１１０と、前記固定筐体１１０との共働下にベーラ室を形成する可動筐体１２０と、前記固定筐体１１０に支持された複数の固定側回転ローラ１３０と、前記可動筐体１２０に支持された複数の可動側回転ローラ１４０とを有し、前記ベーラ室に供給される飼料作物を前記複数の固定側回転ローラ１３０及び前記複数の可動側回転ローラ１４０によってロール状の飼料ベールに成形し得るように構成されている。
【００２３】
前記固定筐体１１０は、前後方向一方側（本実施の形態においては後方側）が開口１１０ａとされた半割状とされており、前記本機フレーム１０等の固定部材に固定設置されている。
【００２４】
詳しくは、前記固定筐体１１０は、左右一対の固定側側壁１１１と、前後方向一方側の前記開口１１０ａを形成しつつ前記一対の固定側側壁１１１の間を連結する固定側周壁１１２とを有している。
【００２５】
前記可動筐体１２０は、前後方向他方側（本実施の形態においては前方側）が開口１２０ａとされた半割状とされており、前記ベーラ室を閉塞する閉塞位置と前記ベーラ室を前後方向一方側且つ下方に開放する開放位置とをとり得るように構成されている。
【００２６】
本実施の形態においては、図３及び図４に示すように、前記可動筐体１２０は、開閉機構として作用する油圧シリンダ装置１５０を介して前記固定筐体１１０に連結されている。
【００２７】
詳しくは、前記固定筐体１１０の上部には固定側アーム１５５が連結されており、前記可動筐体１２０には可動側アーム１５６が連結されている。
【００２８】
前記油圧シリンダ装置１５０は、中空のシリンダ１５１と、前記シリンダ内に油室を画しつつ前記シリンダ１５１に対して進退自在とされたピストン１５２とを有しており、前記シリンダ１５１及びピストン１５２の一方が、前記固定側アーム１５５の自由端部に、幅方向に延びる第１枢支軸１５５ａ回り回動自在に連結され、且つ、前記シリンダ１５１及び前記ピストン１５２の他方が、前記可動側アーム１５６の自由端部に、幅方向に延びる第２枢支軸１５６ａ回り回動自在に連結されている。
【００２９】
前記可動筐体１２０は、左右一対の可動側側壁１２１と、当該可動筐体１２０が閉塞位置に位置された際に前記固定筐体１１０における前後方向一方側の前記開口１１０ａと対向する開口１２０ａを形成しつつ前記一対の可動側側壁１２１の間を連結する可動側周壁１２２とを有している。
【００３０】
前記複数の固定側回転ローラ１３０は、図４に示すように、幅方向視において前後方向一方側（本実施の形態においては後方側）に開く半円を形成するように前記固定筐体１１０に支持されている。
【００３１】
詳しくは、幅方向に延びる複数の固定側支持軸１３１が、幅方向視において前後方向一方側（本実施の形態においては後方側）に開く半円を形成するように配置された状態で、前記一対の固定側側壁１１１に連結されている。
そして、前記複数の固定側回転ローラ１３０は、前記複数の固定側支持軸１３１にそれぞれ支持されている。
【００３２】
前記複数の可動側回転ローラ１４０は、図４に示すように、前記可動筐体１２０が閉塞位置に位置された状態の幅方向視において、前記複数の固定側回転ローラ１３０と共働して幅方向視円形のロール空間を形成するように、前記可動筐体１２０に支持されている。
【００３３】
即ち、前記複数の可動側回転ローラ１４０は、前記可動筐体１２０が閉塞位置に位置された状態の幅方向視において前後方向他方側（本実施の形態においては前方側）に開く半円を形成するように配置されている。
【００３４】
詳しくは、幅方向に延びる複数の可動側支持軸１４１が、前記可動筐体１２０が閉塞位置に位置された状態の幅方向視において、前後方向他方側（本実施の形態においては前方側）に開く半円を形成するように配置され、且つ、その一端部及び他端部が前記一対の可動側側壁１２１に連結されている。
そして、前記複数の可動側回転ローラ１４０は、前記複数の可動側支持軸１４１にそれぞれ支持されている。
【００３５】
図４に示すように、本実施の形態に係る前記ロールベーラ装置１００Ａは、さらに、周方向に隣接する前記回転ローラ１３０、１４０間の隙間１９０の径方向外方側に位置し且つ幅方向に延びる複数の支持バー１６０と、対応する前記回転ローラ１３０、１４０の径方向外方側を覆うように前記複数の支持バー１６０に支持された可撓性シート１７０とを有している。
【００３６】
ここで、前記隙間１９０とは、一の回転ローラ（例えば、図４における符号１４０（１））と周方向に隣接する他の回転ローラ（例えば、図４における符号１４０（２））との間に設けられた周方向に関する空間を意味し、前記隙間１９０の径方向外方側とは、前記一の回転ローラ（例えば、符号１４０（１））の軸線及び前記他の回転ローラ（例えば、符号１４０（２））の軸線を通る第１仮想円弧１９１より径方向外方で、且つ、前記一の回転ローラ（例えば、１４０（１））の径方向最外方部分及び前記他の回転ローラ（例えば、１４０（２））の径方向最外方部分を通る第２仮想線１９２より径方向内方を意味する。
【００３７】
かかる構成を備えた前記ロールベーラ装置１００Ａにおいては、前記可撓性シート１７０を、対応する前記回転ローラ１３０、１４０の外周面、並びに、前記隙間１９０内においては前記第１仮想円弧１９１に近接させた状態で、対応する前記回転ローラ１３０、１４０の径方向外方を覆うことができ、これにより、前記ロール空間から前記隙間１９０を介して外方へ漏れ出る飼料作物の量を有効に減少させることができる。
【００３８】
また、対応する前記回転ローラ１３０、１４０の径方向外方側を覆う前記可撓性カバー１７０が可撓性を有している為、剛性カバーを用いて前記回転ローラ１３０、１４０の径方向外方を覆う場合に比して、取付作業及び取り外し作業を容易に行うことができる。
【００３９】
さらに、ロール状の飼料ベールに成形する際には前記回転ローラ１３０、１４０を回転させつつ前記ロール空間内に飼料作物を供給するが、この際に、前記ロール空間に過剰な飼料作物が供給されたとしても、前記可撓性シート１７０の可撓性によって前記ロール空間内の飼料密度を緩和させることができ、前記回転ローラ１３０、１４０に過度な負荷がかかることを有効に防止できる。
なお、前記可撓性シート１７０としては、可撓性を有する限り種々の材質のシートを利用可能であるが、例えば、シリコン性シートやポリウレタン性シート等が好適に使用され得る。
【００４０】
図４に示すように、本実施の形態においては、前記可撓性シート１７０は、前記複数の可動側回転ローラ１４０のうち、前記可動筐体１２０が閉塞位置に位置された際に前記固定側回転ローラ１３０に隣接し且つ下方に位置する可動側下部回転ローラ１４０（１）と前記可動側下部回転ローラ１４０（１）から周方向に順に隣接された複数の可動側回転ローラ１４０（２）、１４０（３）とを覆っている。
【００４１】
詳しくは、前記可動側周壁１２１は、前記可動側下部回転ローラ１４０（１）と前記可動側下部回転ローラ１４０（１）から周方向に順に隣接された複数（図示の形態においては２個）の可動側回転ローラ１４０（２）、１４０（３）とを外部に露出する下方開口１２０ｂを形成するように構成されている。
【００４２】
そして、前記可撓性カバー１７０は、前記複数の回転ローラ１３０、１４０のうち前記下方開口１２０ｂを介して露出される前記回転ローラの径方向外方側を覆うように配置されている。
図示の形態においては、前記可撓性カバー１７０は、前記可動側下部回転ローラ１４０（１）を含む３つの可動側回転ローラ１４０（１）、１４０（２）、１４０（３）の径方向外方側を覆っている。
【００４３】
即ち、前記可動側下部回転ローラ１４０（１）とこれに隣接する可動側回転ローラ（以下、第２可動側下部回転ローラ１４０（２）という）との間における隙間１９０の径方向外方側に第１支持バー１６０（１）が配置され、前記第２可動側下部回転ローラ１４０（２）とこれに隣接する可動側回転ローラ（以下、第３可動側下部回転ローラ１４０（３）という）との間における隙間の径方向外方側に第２支持バー１６０（２）が配置され、前記第２可動側下部回転ローラ１４０（２）とこれに隣接する可動側回転ローラ（以下、第３可動側下部回転ローラ１４０（３）という）との間における隙間の径方向外方側に第３支持バー１６０（３）が配置されている。
【００４４】
そして、前記可撓性カバー１７０は、対応する前記可動側下部回転ローラ１４０（１）、前記第２可動側下部回転ローラ１４０（２）及び前記第３可動側下部回転ローラ１４０（３）の径方向外方側を覆うように、前記第１〜第３支持バー１６０（１）、１６０（２）、１６０（３）に支持されている。
【００４５】
図４に示すように、本実施の形態においては、前記可撓性カバー１７０は、前記可動筐体１２０における前記下方開口１２０ｂを介して露出される前記可動側回転ローラ１４０（１）〜１４０（３）と対向するカバー領域１７１に加えて、前記カバー領域１７１から前記固定筐体１１０の側へ延在された延在領域１７２を有している。
【００４６】
前記延在領域１７２は、前記可動筐体１２０を閉塞位置に位置させた際に、前記固定筐体１１０及び前記可動筐体１２０によって挟まれるようになっている。
かかる構成によれば、前記固定筐体１２０及び前記可動筐体１２０の接合部分から飼料作物が漏れ出ることを有効に防止することができる。
【００４７】
図示の形態においては、図４に示すように、前記可動筐体１２０を閉塞位置に位置させた際に、周方向に関し、前記固定筐体１１０の前記開口１１０ａに臨み且つ下方に位置する固定側下部回転ローラ１３０（１）と前記可動側下部回転ローラ１４０（１）との間に位置し、且つ、径方向に関し、前記可動側下部回転ローラ１４０（１）及び前記固定側下部回転ローラ１３０（１）の軸線を通る前記第１仮想円弧線１９１より外方に位置するように、前記可動筐体１２０に境界側支持バー１６５を設け、前記可撓性カバー１７０を、前記複数の支持バー１６０に加えて前記境界側支持バー１６５にも支持させることができる。
【００４８】
かかる構成によれば、前記固定側下部回転ローラ１３０（１）及び前記可動側下部回転ローラ１４０（１）間の隙間を減少させ、前記ロール空間から前記隙間を介して外方へ漏れ出る飼料作物の量を有効に減少させることができる。
【００４９】
前記境界支持バー１６５を有さない構成（図５）においては、補強部材として前記可動筐体１２０に備えられる連結バー１２５（図４及び図５参照）を、前記可撓性カバー１７０の支持部材として兼用することも可能である。
【００５０】
即ち、図４及び図５に示すように、前記可動筐体１２０には、強度を向上させる為に前記一対の可動側側壁１２１の間を連結する前記連結バー１２５が備えられている。
この場合において、図５に示すように、前記可撓性カバー１７０を、前記複数の支持バー１６０に加えて前記連結バー１２５にも支持させることができる。
【００５１】
かかる構成によれば、前記可撓性カバー１７０を、前記可動側下部回転ローラ１４０（１）の外周面に可及的に近接させた状態で安定して支持することができる。
なお、図４及び図５に示す形態においては、前記連結バー１２５は、周方向に関し前記可動側下部回転ローラ１４０（１）よりも前記固定筐体１１０に近接する側で且つ径方向に関し前記可動側下部回転ローラ１４０（１）の軸線よりも外方側に配置されている。
【００５２】
図６及び図７に、他の実施の形態に係るロールベーラ装置１００Ｂの拡大縦断側面図を示す。図６及び図７は、それぞれ、図４におけるＶＩ部及び図５におけるVII部の拡大図である。
なお、図６及び図７中、前記ロールベーラ装置１００Ａにおけると同一部材には同一符号を付している。
【００５３】
前記他の形態に係るロールベーラ装置１００Ｂは、前記ロールベーラ装置１００Ａに比して、さらに、付勢機構２００を有している。
前記付勢機構２００は、前記可撓性カバー１７０の前記延在領域１７２を前記固定筐体１１０における前記固定側周壁１１２のエッジに向けて押圧するように構成されている。
【００５４】
詳しくは、図６及び図７に示すように、前記付勢機構２００は、前記可動筐体１２０に直接又は間接的に支持された状態で前記可撓性カバー１７０の前記延在領域１７２を前記固定側周壁１１２のエッジに押し付ける板バネ２１０を有している。
【００５５】
かかる構成を備えた前記ロールベーラ装置１００Ｂにおいては、前記可動筐体１２０を閉塞位置に位置させた際に、前記可動筐体１２０及び前記固定筐体１１０間の接合部から飼料作物が漏れ出ることをより確実に防止することができる。
【００５６】
即ち、前述の通り、飼料ベールの形成は、前記可動筐体１２０を閉塞位置に位置させた状態で前記ベーラ室へ飼料作物を供給しつつ前記回転ローラ１３０、１４０を回転させることによって行われる。
【００５７】
通常、前記ベーラ室に十分な量の飼料作物が供給された否かの判断、即ち、前記ベーラ室への飼料作物の供給状態から供給停止状態への移行の判断は、前記可動筐体１２０が閉塞位置から移動したか否かに基づいて行われる。
【００５８】
つまり、前記ベーラ室内の飼料作物が所定量を超えると、前記飼料作物によって前記可動筐体１２０が閉塞位置から開放位置へ向けて若干押動される。前記可動筐体１２０のかかる移動をセンサによって検出することで、前記ベーラ室に十分な量の飼料作物が供給されたと判断することができる。
【００５９】
ところで、前記可動筐体１２０が閉塞位置から開放位置へ向かって移動されると、前記可動筐体１２０及び前記固定筐体１１０の接合部から飼料作物が外方へ漏れ出ることになる。
前記付勢機構２００を備えれば、前記可動筐体１２０が閉塞位置から若干量移動したとしても、前記可動筐体１２０及び前記固定筐体１１０の間を前記可撓性シート１７０によって覆うことができ、これにより、飼料作物の流出を有効に防止することができる。
【００６０】
図示の形態においては、前記板バネ２１０は、前記連結バー１２５を利用して前記可動筐体１２０に支持されている。
【００６１】
詳しくは、前記可動筐体１２０には、前述の通り、強度を向上させる為に前記一対の可動側側壁１２１の間を連結する前記連結バー１２５が備えられている。
前記板バネ２１０は、先端部が前記可撓性カバー１７０の前記延在領域１７２における径方向外方側に当接して前記延在領域１７２を前記固定側周壁１１２のエッジに押し付けるように、基端部が前記連結バー１２５にボルト等の締結部材を介して連結されている。
当然ながら、前記板バネ２１０を、前記可動筐体１２０に設けられる他の支持部材に連結させることも可能である。
【符号の説明】
【００６２】
１００Ａ、１００Ｂ      ロールベーラ装置
１１０          固定筐体
１１１          固定側側壁
１１２          固定側周壁
１２０          可動筐体
１２０ｂ        下方開口
１２１          可動側側壁
１２２          可動側周壁
１３０          固定側回転ローラ
１３０（１）    固定側下部回転ローラ
１３１          固定側支持軸
１４０          可動側回転ローラ
１４０（１）    可動側下部回転ローラ
１６０          支持バー
１６５          境界側支持バー
１７０          可撓性カバー
１７１          カバー領域
１７２          延在領域
１９１          固定側及び可動側の下部回転ローラの軸線を通る仮想円弧線
２１０          板バネ
【図１】
2014124147.tif 000003
【図２】
2014124147.tif 000004
【図３】
2014124147.tif 000005
【図４】
2014124147.tif 000006
【図５】
2014124147.tif 000007
【図６】
2014124147.tif 000008
【図７】
2014124147.tif 000009